(57)【特許請求の範囲】
【請求項１】
軸方向の両端部が回転自在に支持された巻取部と、この巻取部に巻かれ、かつこの巻取部の正逆回転により繰り出し、巻き取りがなされるシャッターカーテンとを備えている建物用シャッターにおいて、前記巻取部の軸方向途中部に、この巻取部を上向きに支持する支持部材が設けられているとともに、前記巻取部は軸方向に複数の巻取部構成部材を連結することにより構成され、前記支持部材は、巻取部構成部材同士の連結部から外れた位置において、前記巻取部に巻かれた前記シャッターカーテンに当てられていることを特徴とする建物用シャッター。
【請求項２】
請求項１に記載の建物用シャッターにおいて、前記支持部材が、前記巻取部に巻かれた前記シャッターカーテンの下側に当たる回転自在なローラであることを特徴とする建物用シャッター。
【請求項３】
請求項１又は２に記載の建物用シャッターにおいて、前記支持部材は上下方向に位置調整自在であることを特徴とする建物用シャッター。
【請求項４】
請求項３に記載の建物用シャッターにおいて、建物躯体に取り付けられた躯体側ブラケットと、前記支持部材が配置された支持部材側ブラケットとを有し、この支持部材側ブラケットが前記躯体側ブラケットにボルト及びナットで上下動自在に取り付けられていることにより、前記支持部材は上下方向に位置調整自在となっていることを特徴とする建物用シャッター。
【請求項５】
請求項１〜４のいずれかに記載の建物用シャッターにおいて、前記シャッターカーテンは少なくとも一部に耐火性シートを含んで形成されていることを特徴とする建物用シャッター。
【発明の詳細な説明】
【０００１】
【発明の属する技術分野】
本発明は、建物に設置され、巻取部から繰り出されるシャッターカーテンを有する建物用シャッターに係り、例えば、防火、防煙のための防災用シャッターや、出入口等を開閉するスラット式シャッター等に利用できるものである。
【０００２】
【背景技術】
防火、防煙のための防災用シャッターとして、軸方向両端部をブラケットで回転自在に支持させた巻取部を建物の天井裏に水平に配置し、この巻取部に巻かれていて全部又は大部分が耐火性シートで形成されているシャッターカーテンを巻取部の正逆回転により繰り出し、巻き取るようにした建物用シャッターが知られている。この建物用シャッターによると、シャッターカーテンが耐火性シートで形成されているため、巻取部の長さ（シャッターカーテンの幅）を大スパン化でき、建物の防災区画用して使用するのに適しているという特徴を有する。
【０００３】
【発明が解決しようとする課題】
しかし、大スパン化のために巻取部の長さを長くすると、巻取部にその自重による撓みが生じ、この撓みが大きくなると、シャッターカーテンの巻き取りを所定どおり行えなくなる。この問題を解決する一つの方策として、巻取部の直径を大きくして巻取部の強度を大きくすることが考えられるが、このような解決策を採用した場合には、シャッターカーテンはシート製であるためシャッターカーテンを巻き取ったときの巻取部全体の直径はそれ程大きくならないが、巻取部自体の直径の増大により巻取部の重量が重くなり、この巻取部を天井裏に運び込む等の作業に多くの手間と時間がかかるようになるという問題が生ずる。
【０００４】
本発明の目的は、巻取部の直径を小さくできるにもかかわらず巻取部に撓みが発生するのを抑制でき、巻取部の軽量化、取り扱いの容易化を達成できるようになる建物用シャッターを提供するところにある。
【０００５】
【課題を解決するための手段】
本発明に係る建物用シャッターは、軸方向の両端部が回転自在に支持された巻取部と、この巻取部に巻かれ、かつこの巻取部の正逆回転により繰り出し、巻き取りがなされるシャッターカーテンとを備えている建物用シャッターにおいて、巻取部の軸方向途中部に、この巻取部を上向きに支持する支持部材が設けられていることを特徴とするものである。
【０００６】
本発明では、巻取部の軸方向途中部に巻取部を上向きに支持する支持部材が設けれているため、巻取部の直径を小さくし、その強度を小さくしても、巻取部に自重による撓みが発生するのを抑制できるようになる。このため、巻取部の軽量化を実現でき、天井裏に巻取部を運び込む等の作業を容易に行え、巻取部の取り扱いを簡単化できる。
【０００７】
ここで、支持部材によって巻取部の自重による撓みを抑制するとは、撓み量を零にさせることは勿論のこと、撓み量を少なくすることや、逆に上方への適量の撓み量を発生させることをも含み、シャッターカーテンの巻き取り等を所定どおり行える程度の撓みを巻取部に生じさせることを含む。
【０００８】
巻取部を上向きに支持する支持部材は、シャッターカーテンに接触する部分の表面形状及び材質が摩擦係数の小さなものであることが好ましく、また、支持部材は、巻取部に対して回転自在となったものでもよく、巻取部に対して回転等しない不動となったものでもよい。前者の一例は、支持部材を巻取部に巻かれたシャッターカーテンの下側に当たる回転自在なローラとすることである。これによると、巻取部の正逆回転によって巻取部に対するシャッターカーテンの繰り出し、巻き取りが行われるとき、ローラも回転するため、シャッターカーテンの繰り出し、巻き取りを円滑に行え、かつシャッターカーテンを損傷することがないという利点を得られる。
【０００９】
また、このような回転自在なローラは巻取部に巻かれたシャッターカーテンの真下だけに設けてもよいが、このシャッターカーテンの周方向に離間した複数箇所に配置することがより好ましい。このようにすると、巻取部を周方向に離間した複数のローラで安定させて上向きに支持できるようになる。
【００１０】
また、ローラ等による支持部材を設ける巻取部の軸方向途中部は、一箇所でもよく、複数箇所でもよい。その箇所の数は、巻取部の長さや、巻取部の直径等に応じて任意に決めることができる。さらに、支持部材の配置位置は、例えば、支持部材を巻取部の軸方向一箇所の途中部に設けるときには、巻取部の軸方向中央部の位置とし、支持部材を巻取部の軸方向複数箇所に設けるときには、巻取部の軸方向等間隔の位置とすることが好ましい。
【００１１】
さらに、支持部材は一定位置に固定的に配置してもよいが、上下方向に位置調整自在に配置することがより好ましい。このようにすると、巻取部の長さや直径に応じて巻取部の撓み量を適正量に調整できるようになり、建物用シャッターの施工現場でシャッターカーテンの繰り出しは勿論のこと巻き取りも確実に行える適正な撓み量を得るための作業を実施できるようになる。
【００１２】
なお、ここでいう支持部材を上下方向に位置調整自在にするとは、巻取部の撓み量を調整するためであるから、本来の正確な上下方向に位置調整自在とすることは勿論のこと、例えば、巻取部の半径方向等に支持部材を移動させることにより、上下方向の成分をもった方向に位置調整自在とすることをも含む。
【００１３】
また、支持部材をシャッターカーテンの周方向に離間した複数箇所に配置し、これらの支持部材を１個のブラケットに取り付けた場合には、このブラケットを上下動させることにより全部の支持部材の上下方向の位置調整を行うようにしてもよく、これらの支持部材を個別のブラケットに取り付けた場合には、これらのブラケットを個別に上下動させることにより全部の支持部材の上下方向の位置調整を行うようにしてもよい。
【００１４】
また、巻取部は１本の連続した部材によって構成してもよく、１本の連続した部材で構成することが製作上や運搬上等の理由から困難な場合には、複数の巻取部構成部材を軸方向に連結することにより巻取部を構成してもよい。後者とした場合には、前記支持部材を、巻取部構成部材同士の連結部から外れた位置において、巻取部に巻かれたシャッターカーテンに当てるようにすることが好ましい。このようにすると、巻取部の軸方向に連続した平滑部分において、巻取部に巻かれたシャッターカーテンに支持部材の上向き支持力を作用させることができるようになり、これにより、巻取部に支持部材からの上向き力を確実に伝達し、シャッターカーテンが損傷するなどの事故の発生を抑えることができる。
【００１５】
なお、巻取部構成部材同士の連結部は、巻取部外周同士の間に隙間があるものでもよく、外周同士の間に隙間がなく、外周同士が突き合わせ状態になっていたり、オーバーラップしているものでもよい。突き合わせ状態になっていたり、オーバーラップしている場合において、その突き合わせ部やオーバーラップの端部に段差が生じていても、巻取部同士の連結部から外れた位置において、巻取部に巻かれたシャッターカーテンに支持部材を当てることにより、この段差の影響を受けることなくシャッターカーテンを介して巻取部を支持部材で上向きに支持できるようになる。
【００１６】
また、巻取部構成部材同士の連結部とは、巻取部構成部材同士が中間部材を介在させて連結される場合には、巻取部構成部材と中間部材との連結部を含むものとしてもよい。
【００１７】
さらに、シャッターカーテンがシート製である場合には、シャッターカーテン全体を１枚のシートで形成してもよく、複数のシートで形成してもよい。そして、支持部材が上向きに支持する巻取部に巻かれたシャッターカーテンの位置は、シャッターカーテンの補強部でもよく、補強されていない部分でもよい。シャッターカーテンの補強部を支持部材で支持するようにすると、支持部材による上向き支持をシャッターカーテンを損傷することなく行えることになる。ここでいうシャッターカーテンの補強部とは、例えば、シャッターカーテンがシート製である場合には、シャッターカーテンを形成する複数のシートのうち、隣接するシートの端部同士を縫着等で結合させて重合させた箇所や結合させないで重ね合わせた箇所、あるいは補強用シートを取り付けた箇所である。
【００１８】
また、巻取部の軸方向途中部には、巻取部を上向きに支持する支持部材だけではなく、回転中の巻取部の振れを防止するための振れ防止部材を巻取部の円周方向に１個又は複数個設けてもよい。これによると、例えば、巻取部が高速回転するものである場合、巻取部の振れを防止できる。振れ防止部材は、例えば、ローラでもよく、回転等しない不動部材でもよい。
【００１９】
以上の本発明は、建物の防災区画に防火、防煙のために配置される防災用シャッターや、建物の出入口、窓等の開口部にこの開口部を開閉するために配置される一般的な建物用シャッターに適用できる。後者の建物用シャッターのシャッターカーテンは、スラットで形成されたものでもよく、パネルで形成されたものでもよく、シートで形成されたものでもよく、互いにリンクを介して連結されているパイプで形成されたものでもよく、これらを組み合わせて形成されたものでもよい。
【００２０】
また、本発明を防災用シャッターに適用した場合には、そのシャッターカーテンは、耐火性シートで形成されたものでもよく、スラット等のように布以外の金属材料等で形成されたものでもよく、また、これらを組み合わせて形成されたものでもよい。また、少なくとも一部に耐火性シートが使用されているシャッターカーテンについては、その耐火性シートの部分に中桟等の補強部材を設けてもよく、さらに、例えば、めくり自在なシートをその耐火性シートの部分に設けることにより、火災発生時等の非常時にシャッターカーテンを通過できる脱出口を設けてもよい。
【００２１】
また、巻取部から繰り出されるシャッターカーテンの最大繰り出し長さは、天井から床まで達する長さでもよく、また、防煙垂れ幕のように、天井に沿って移動する煙の進行を止めるのに必要なだけの短い長さでもよい。
【００２２】
さらに、本発明に係る建物用シャッターは、シャッターカーテンを開閉方向の複数箇所で停止させることができる多段停止式の建物用シャッターでもよい。また、本発明に係る建物用シャッターは、巻取部からのシャッターカーテンの繰り出しがシャッターカーテンの自重で行われるタイプのものでもよく、モータや手動ハンドル等の駆動手段で巻取部を回転させることによりシャッターカーテンが繰り出されるタイプのものでもよく、シャッターカーテンの一部を握ることによりあるいはフック棒等の用具を用いることによりシャッターカーテンを引き出して直接的に巻取部から繰り出させるタイプのものでもよい。
【００２３】
また、巻取部から繰り出され、巻き取られるシャッターカーテンの移動方向は上下方向でもよく、水平方向でもよく、鉛直方向に対して角度をなす斜めの方向でもよい。
【００２４】
【発明の実施の形態】
以下に本発明の実施形態を図面に基づいて説明する。図１は本実施形態に係る建物用シャッターの全体を示す建物の正断面図で、この建物用シャッターは、建物の防災区画に配置されている防災用シャッター１である。天井２の上の天井裏空間３には、防災用シャッター１の巻取部４が水平に配置され、この巻取部４の軸方向両端部は天井裏空間３の建物躯体に取り付けられたブラケット５で回転自在に支持されている。長さが長い大スパンのシャフトになっている巻取部４にはシャッターカーテンを形成する耐火性シート６が巻かれ、この耐火性シート６は、図１のII−II線断面図である図２に示す天井２に形成されたまぐさ７を通って鉛直に垂下されている。
【００２５】
また、図１に示すとおり、耐火性シート６の左右両端は建物の左右の壁８に配置されたガイドレール９の内部に挿入され、この左右両端に設けられた抜け止め部材１０でガイドレール９からの抜け止めがなされながら、耐火性シート６は、巻取部４の正逆回転によって巻取部４からの繰り出し、巻き取りがなされ、耐火性シート６の下端に取り付けた座板１１が床面１２に達することにより、耐火性シート６で防災区画は遮蔽される。
【００２６】
巻取部４の軸方向両端部を支持する左右２個のブラケット５のうちの一方には開閉機１３が取り付けられ、この開閉機１３はモータとブレーキの組み合わせからからなる。そのモータの駆動軸は巻取部４の中心軸とチェーン１４で連結されている。通常時は、座板１１がまぐさ７に達するまで耐火性シート６は巻取部４に巻き取られており、火災の発生によって煙や炎を検出する図示しないセンサが作動し、このセンサからの信号が開閉機１３の制御装置に入力すると、開閉機１３のブレーキが解除され、これにより耐火性シート６は座板１１を含めた自重で巻取部４を正回転させながら下降する。
【００２７】
一方、図示しないスイッチの操作で駆動する開閉機１３のモータにより巻取部４を逆回転させると、耐火性シート６は巻取部４に巻き取られて上昇する。
【００２８】
図１に示すとおり、巻取部４の軸方向中央部には、大スパンとなっている巻取部４の撓みを抑制するための撓み抑制手段２０が設けられている。この撓み抑制手段２０の具体的構造は、図２及び図３に示されている。撓み抑制手段２０は、前記天井裏空間３の壁等の建物躯体２１にボルト等の止着具２２で取り付けられた躯体側ブラケット２３と、この躯体側ブラケット２３にボルト２４及びダブルナット２５で連結されたローラ側ブラケット２６と、このローラ側ブラケット２６に取り付けられたローラホルダー２７と、このローラホルダー２７に回転自在に保持された水平なローラ２８とで構成されている。
【００２９】
躯体側ブラケット２３の水平部２３Ａはローラ側ブラケット２６の上水平部２６Ａと上下に対向し、これらの水平部２３Ａと上水平部２６Ａとにボルト２４が上向きに挿通され、その突出部にダブルナット２５が螺合されている。ローラ側ブラケット２６の左右一対の下水平部２６Ｂにローラホルダー２７が水平に架設され、このローラホルダー２７に巻取部４の軸方向と直交する水平方向（耐火性シート６の厚さ方向）に２個のローラ２８が設けられ、巻取部４と軸方向を平行とするこれらのローラ２８が巻取部４に巻かれた耐火性シート６の下面に当てられている。
【００３０】
以上のように構成された撓み抑制手段２０では、ダブルナット２５のうちの上ナット２５Ａを緩めた後、下ナット２５Ｂをボルト２４に対して回転させると、躯体側ブラケット２３に対してローラ側ブラケット２６を上下動させることができ、これにより、巻取部４に対してローラ２８の位置を上下方向に調整することが可能になる。
【００３１】
また、図１に示すようにシャッターカーテンを形成している耐火性シート６は、巻取部４が大スパンであるため、左右２枚のシート部材６Ａの対向端部６Ｂ同士を重ねて縫着することにより構成されている。このため、耐火性シート６のこの部分は２枚のシートが重合した補強部６Ｃとなっており、撓み抑制手段２０のローラ２８は、巻取部４に巻かれた耐火性シート６のこの補強部６Ｃに当てられている。
【００３２】
以上の本実施形態によると、ローラ２８は、巻取部４の軸方向途中部である軸方向中央部で巻取部４を上向きに支持する支持部材となるため、軸方向両端部がブラケット５で支持された巻取部４が大スパンのものであっても、巻取部４の撓みを抑制できるようになり、巻取部４の逆回転で耐火性シート６を巻き取る等の作業を所定どおり行えるようになる。
【００３３】
言い換えると、巻取部４の直径を小さくして巻取部４の撓み方向の強度を小さくしても、ローラ２８による巻取部４の上向き支持により、巻取部４による耐火性シート６の繰り出し、巻き取りを支障なく行えるようになる。
【００３４】
このため、巻取部４の重量を小さくすることが可能になり、この結果、工場での巻取部４の生産の容易化や、防災用シャッター１の施工現場で巻取部４を天井裏空間３に搬入する作業等の簡単化を実現でき、その取り扱いが容易になる。
【００３５】
また、巻取部４を上向きに支持する支持部材は回転自在なローラ２８であるため、このローラ２８は巻取部４の正逆回転により耐火性シート６の繰り出し、巻き取りが行われるときに回転し、このため、耐火性シート６を損傷することなく円滑に繰り出し、巻き取りが行えるようになる。
【００３６】
さらに、ローラ２８は、この巻取部４に巻かれた耐火性シート６の周方向に離間した２箇所に配置されているため、巻取部４を安定させて上向きに支持できるようになる。
【００３７】
また、本実施形態では、上述のように躯体側ブラケット２３に対してローラ側ブラケット２６を上下動させることができて、ローラ２８の位置を上下方向に調整することが可能であるため、天井裏空間３に巻取部４及び撓み抑制手段２０を配置した後に、ローラ２８を上下方向に位置調整する作業を実施できるようになる。このため、巻取部４の長さや直径に応じて巻取部４の撓み量を適正量に調整でき、耐火性シート６の巻取部４からの繰り出しは勿論のこと、巻き取りも確実に行える適正な撓み量を得られるとともに、躯体側ブラケット２３とローラ側ブラケット２６に過大な支持反力が作用しない巻取部４の撓み量を得る作業を行えるようになる。
【００３８】
また、ローラ２８は、巻取部４に巻かれた耐火性シート６のうち、前記補強部６Ｃに当てられているため、ローラ２８による大きな上向き支持力を耐火性シート６に作用させても、耐火性シート６が損傷するのを防止できる。
【００３９】
なお、ローラ２８の上下方向の位置調整のために躯体側ブラケット２３に対してローラ側ブラケット２６を上下動自在とするために、前記ボルト２４に２個のナットを躯体側ブラケット２３の水平部２３Ａの上下において螺合するようにし、下のナットを緩めた後に上のナットを回転させることにより、ローラ側ブラケット２６の上下動を行うようにしてもよい。
【００４０】
図４は、巻取部４が複数の巻取部構成部材４Ａを軸方向に連結することにより構成されている場合の実施形態を示す。それぞれの巻取部構成部材４Ａは、互いの対向端部から延びる軸３０の先端連結部３０Ａをボルト、ナットで接合することにより連結され、その連結部は、巻取部構成部材４Ａの外周部同士の間に隙間Ｓが存在するものとなっている。
【００４１】
また、撓み抑制手段２０のローラ側ブラケット２６における左右一対の下水平部２６Ｂの間には連結部材３１が架設され、この連結部材３１上に、ローラホルダー３７で回転自在に保持されたローラ３８が巻取部４の軸方向に離れて２個配置されている。これらのローラ３８は、巻取部構成部材４Ａ同士の連結部から外れた位置、すなわち上記隙間Ｓから外れた位置において、巻取部４に巻かれた耐火性シート６に当てられている。
【００４２】
この実施形態によると、ローラ３８による巻取部４の上向き支持を巻取部構成部材４Ａ同士の連結部から外れた位置において行うため、巻取部４が軸方向に複数の巻取部構成部材４Ａを連結することによって構成されていても、ローラ３８によって耐火性シート６を介し巻取部４を確実に支持でき、また、耐火性シート６が損傷するのを防止できるようになる。
【００４３】
図５の実施形態の巻取部４は、図４の実施形態と同様に、複数の巻取部構成部材４Ｂを軸方向に連結することに構成されているが、これらの巻取部構成部材４Ｂはねじ結合等によって突き合わせ連結されている。また、撓み抑制手段２０のローラ側ブラケット２６の連結部材３１上には、ローラホルダー４７で回転自在に保持された長軸もののローラ４８が設けられ、このローラ４８の軸方向中央部には溝４８Ａが形成されている。この溝４８Ａの位置は、巻取部構成部材４Ｂ同士の突き合わせ連結部の位置と一致している。
【００４４】
この実施形態によると、巻取部構成部材４Ｂ同士の突き合わせ連結部に段差があっても、この段差から外れた位置においてローラ４８を巻取部４に巻かれた耐火性シート６に当てることができ、これにより、段差で耐火性シート６が損傷することを防止できる。
【００４５】
なお、この実施形態のようにローラを溝付きの長軸ものとすることは、図４のように巻取部構成部材同士の連結部に隙間が存在する場合にも適用でき、また、図４のように２個のローラを巻取部の軸方向に離して設けることは、図５のように巻取部構成部材を突き合わせ連結した場合にも適用できる。
【００４６】
また、図４と図５の実施形態において、ローラは、図２及び図３で示した実施形態と同様に、巻取部４に巻かれた耐火性シート６の周方向に離して複数個設けられる。
【００４７】
【発明の効果】
本発明によると、巻取部の直径を小さくできるにもかかわらず巻取部に撓みが発生するのを抑制でき、巻取部の軽量化、取り扱いの容易化を達成できると言う効果を得られる。
【図面の簡単な説明】
【図１】本発明の一実施形態が防災用シャッターに適用された場合を示す建物の正断面図である。
【図２】図１のII−II線断面図である。
【図３】支持部材であるローラを有する撓み抑制手段の部分を示す斜視図である。
【図４】巻取部が複数の巻取部構成部材の連結で構成されている場合の実施形態を示す撓み抑制手段の配置個所の正面図である。
【図５】巻取部が図４とは異なる巻取部構成部材の連結状態で形成されている場合の実施形態を示す撓み抑制手段の配置個所の正面図である。
【符号の説明】
１  建物用シャッターである防災用シャッター
４  巻取部
４Ａ，４Ｂ  巻取部構成部材
５  ブラケット
６  シャッターカーテンを形成する耐火性シート
１３  開閉機
２０  撓み抑制手段
２８，３８，４８  支持部材であるローラ
【図１】
0003973793.tif 000002
【図２】
0003973793.tif 000003
【図３】
0003973793.tif 000004
【図４】
0003973793.tif 000005
【図５】
0003973793.tif 000006